(57)【要約】【課題】  余分な課金を発生させず、データの入力および出力に対して個別に課金でき、様々な課金方法を選択可能とし、使い勝手を向上させる。【解決手段】  データ処理装置１０は、データを入力する入力部１１と、データを表示する表示部１５と、データを出力する指示を受け付ける受付部１７と、指示に従ってデータを出力する出力部１９と、入力部１１でのデータの入力を検知し、出力部１９でのデータの出力を検知した結果に基づいて入力料金および出力料金をそれぞれ課金する課金部２１と、を備える。【選択図】  図１
2005333281.tif 000002
【特許請求の範囲】
【請求項１】
データを入力する入力部と、
前記データをユーザに報知する報知部と、
前記データを出力する指示を受け付ける受付部と、
前記指示に従って前記データを出力する出力部と、
前記入力部での前記データの入力を検知する第１の検知部と、
前記出力部での前記データの出力を検知する第２の検知部と、
前記第１の検知部および前記第２の検知部での検知結果に基づいて入力料金および出力料金をそれぞれ課金する課金部と、
を備えたことを特徴とするデータ処理装置。
【請求項２】
請求項１に記載のデータ処理装置において、
前記第１の検知部は、前記入力部で入力した前記データの入力量を計測する入力量計測部を有し、
前記第２の検知部は、前記出力部で出力した前記データの出力量を計測する出力量計測部を有し、
前記課金部は、前記入力量に第１の単価を乗じて入力料金を課金し、前記出力量に第２の単価を乗じて出力料金を課金することを特徴とするデータ処理装置。
【請求項３】
請求項２に記載のデータ処理装置において、
前記課金部は、前記第１の単価および前記第２の単価を設定テーブルに記憶する記憶部を有し、前記設定テーブルに基づいて、前記入力料金および前記出力料金を課金することを特徴とするデータ処理装置。
【発明の詳細な説明】
【技術分野】
【０００１】
本発明は、データ処理装置に関し、特に、データの入出力に対して課金するデータ処理装置に関する。
【背景技術】
【０００２】
近年、複写機やファクシミリ装置などの端末はコンビニエンスストアーなどに設置され、手軽にコピーやファクシミリサービスが利用可能となってきた。また、大学などの施設においては、このようなサービスに対する利用料金はプリペイドカードによる支払い方法なども採用されている。
【０００３】
従来の複写機においては、たとえば、コピー結果を予め確認することができなかったので、ミスコピーをしてもそのまま利用料金が徴収されていた。
【０００４】
特許文献１には、原稿を読み取った画像を表示し、ユーザが、画像が最適な状態であるかを確認した後、コピーを許可する指示を受け付けてからコピー出力されるフルカラー複写機が開示されている。
【０００５】
また、特許文献２には、機能利用に対して課金を行い、キャンセルの指示に応じて、課金をキャンセルする構成を有した課金装置が開示されている。この課金装置では、たとえば、印刷装置に文書を印刷させたとき、文書が正しく印刷されたか否かをユーザが確認する機能または自動的に検知する機能を有し、正しく印刷されていないと確認された場合、課金をキャンセルするように構成されている。
【特許文献１】特開平１１−１２５９４９号公報
【特許文献２】特開平１１−１２９５８９号公報
【発明の開示】
【発明が解決しようとする課題】
【０００６】
ところで、上記従来の複写機の課金装置では、原稿を読み取った画像データの出力に対して課金しているので、たとえば、一枚のオリジナル原稿を三枚コピーした場合も、三枚のオリジナル原稿を一枚ずつコピーした場合でも料金は同じであった。また、オリジナル原稿を二枚読み取り、一枚にまとめて縮小コピーするような場合も考えられるが、これらも出力枚数に応じて課金されるのが通例であった。また、同じオリジナル原稿に基づいて、コピー、ファクシミリ送信、ならびにデータ出力などを同時に行い、課金を行う装置はなく、それぞれ出力毎に原稿を読み取り、出力に対して課金されていた。
【０００７】
このため、同じオリジナル原稿に基づいて複数の出力先に出力を行いたい場合でも、個別に操作を行い、かつ個別に課金されていたため、余計な手間と料金を支払う必要があった。
【０００８】
本発明は、上記背景の下でなされたものであり、その目的は、余分な課金を発生させず、データの入力および出力に対して個別に課金でき、様々な課金方法が選択可能な使い勝手のよいデータ処理装置を提供することにある。
【課題を解決するための手段】
【０００９】
本発明のデータ処理装置は、データを入力する入力部と、前記データをユーザに報知する報知部と、前記データを出力する指示を受け付ける受付部と、前記指示に従って前記データを出力する出力部と、前記入力部での前記データの入力を検知する第１の検知部と、前記出力部での前記データの出力を検知する第２の検知部と、前記第１の検知部および前記第２の検知部での検知結果に基づいて入力料金および出力料金をそれぞれ課金する課金部と、を備える。
【００１０】
ここで、入力部で入力されるデータは、たとえば、画像データ、音声データ、映像データ、テキストデータ、各種文書ファイルデータ、プログラムデータ、ＨＴＭＬファイルデータなどを含む。入力部は、たとえば、原稿を読み取るスキャナ、ディジタルカメラ、ディジタルビデオカメラ、メディア読取装置、データをネットワーク経由でダウンロードする受信装置、ファクシミリ受信するファクシミリ受信装置、集音マイクを含む。また、報知部は、たとえば、入力されたデータをユーザが確認可能な形態で出力するものであり、データを画面に表示する表示部や音声出力するスピーカ部を含む。出力部は、入力されたデータをユーザが利用可能な形態で出力するものであり、データをメディアに記録するメディア記録装置、データを印刷する印刷装置、データをネットワーク経由でアップロードする送信装置、ファクシミリ送信するファクシミリ送信装置を含む。
【００１１】
本発明によれば、入力したデータを出力部に出力する前に報知部に出力されたデータで確認し、出力指示を受け付けて出力する構成としたので、たとえば、コピーなどで読み取りに失敗した原稿のデータは出力せずに破棄できるとともに、データの入力と出力に対する課金を個別に行うことができるので、余分な課金を発生させず、様々な課金方法が選択可能となり、利便性が増す。
【００１２】
上記データ処理装置において、前記第１の検知部は、前記入力部で入力した前記データの入力量を計測する入力量計測部を有し、前記第２の検知部は、前記出力部で出力した前記データの出力量を計測する出力量計測部を有し、前記課金部は、前記入力量に第１の単価を乗じて入力料金を課金し、前記出力量に第２の単価を乗じて出力料金を課金することができる。
【００１３】
ここで、データの入力は、たとえば、スキャナでの原稿の読み取り、ファクシミリによる受信、メール受信、通信網を介したサーバからのファイルのダウンロード、メディアからのデータ読み込みなどが考えられる。入力量計測部は、たとえば、スキャナから読み取った原稿の枚数やデータ容量、メディアから読み込んだデータ容量、通信網を介してダウンロードときの通信時間などを計測する。
【００１４】
また、データの出力は、たとえば、プリンタによる印刷、ファクシミリによる送信、メール送信、通信網を介したサーバへのアップロード、メディアへの記録などが考えられる。出力量計測部は、たとえば、プリンタへの印刷枚数や、ファクシミリ送信、メール送信、サーバへのアップロードを行ったときの通信時間や、メディアに記録したデータ容量などを計測する。
【００１５】
この構成によれば、データの入力量や出力量に応じて、課金することができるので、適切な課金を行うことができる。
【００１６】
上記データ処理装置において、前記課金部は、前記第１の単価および前記第２の単価を設定テーブルに記憶する記憶部を有し、前記設定テーブルに基づいて、前記入力料金および前記出力料金を課金することができる。
【００１７】
この構成によれば、入力と出力に対して個別に課金することができ、余分な課金を発生させない。
【００１８】
上記データ処理装置において、前記入力部は、複数の入力元からデータを入力し、前記出力部は、複数の出力先にデータを出力し、前記入力量計測部は、前記複数の入力元から入力されたデータの入力量をそれぞれ計測し、前記出力量計測部は、前記複数の出力先に出力されたデータの出力量をそれぞれ計測し、前記設定テーブルは、前記複数の入力元毎に前記第１の単価を記憶し、前記複数の出力先毎に前記第２の単価を記憶し、前記課金部は、前記複数の入力元の前記入力量に該当する前記第１の単価を乗じて入力料金を課金し、前記複数の出力先の前記出力量に該当する前記第２の単価を乗じて出力料金を課金することもできる。
【００１９】
すなわち、入力に対する第１の単価を入力元毎に設け、出力に対する第２の単価を出力先毎に設けることもできる。
【００２０】
この構成によれば、複数の入力先および出力元に個別に単価を設定して課金することができる。よって、様々な課金方法を選択可能となり、使い勝手が向上する。
【００２１】
なお、以上の構成要素の任意の組合せ、本発明の表現を方法、装置、システム、記録媒体、コンピュータプログラムなどの間で変換したものもまた、本発明の態様として有効である。
【発明の効果】
【００２２】
上述のように、本発明によれば、余分な課金を発生させず、データの入力および出力に対して個別に課金でき、様々な課金方法が選択可能な使い勝手のよいデータ処理装置が提供される。
【発明を実施するための最良の形態】
【００２３】
以下、本発明の実施の形態を図面を参照して説明する。なお、すべての図面において、同様な構成要素には同様の符号を付し、適宜説明を省略する。
（第一の実施の形態）
図１は、本実施の形態のデータ処理装置の機能ブロック図である。データ処理装置１０は、入力部１１と、記憶部１３と、表示部１５と、受付部１７と、出力部１９と、課金部２１と、料金テーブル２３と、精算部２５と、を備える。データ処理装置１０は、たとえば、スキャナなどの入力部１１からオリジナル原稿を読み取って画像データを取得し、プリンタなどの出力部１９から印刷出力する複写装置などである。あるいは、データ処理装置１０は、ファクシミリ装置や、インターネットなどの通信網に接続可能な端末装置であってもよい。
【００２４】
なお、図１において、本発明の本質に関わらない部分の構成については省略してあり、たとえば、複写装置の構成である画像処理部や、ファクシミリ装置の構成である通信部などは図示されていない。
【００２５】
また、データ処理装置１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２６】
入力部１１は、データを入力する。入力部１１は、たとえば、オリジナル原稿を読み取るスキャナ、各種メディアからデータを読み込む読み取り装置、インターネットなどの通信網を介してファイルをダウンロードしたり、メールを受信したりする受信装置、ファクシミリ原稿を受信するファクシミリ受信装置などである。
【００２７】
記憶部１３は、入力部１１で入力したデータを記憶する。データは、画像データ、テキストデータ、文書ファイルデータ、ＨＴＭＬファイルデータなどその形式は特に限定されない。
【００２８】
表示部１５は、記憶部１３に記憶されたデータを画面に表示するエディタ（不図示）を含む。表示部１５は、入力されたデータをユーザが確認可能な形態で出力するものであり、たとえば、ＣＲＴモニタ、液晶ディスプレイなどである。表示部１５は、たとえば、スキャナで読み取られた画像データを表示したり、受信したメールを表示したり、メディアから読み込んだデータファイルを表示したりする。ユーザは表示部１５の表示画面を参照して、データを確認することができる。
【００２９】
受付部１７は、記憶部１３に記憶されたデータを出力部１９に出力させる指示を受け付ける。受付部１７は、たとえば、操作ボタン、スイッチ、シートキー、キーボード、タッチパネルなどによる操作を受け付ける。受付部１７は、出力指示とともに、出力先毎に出力に必要な情報も一緒に受け付ける。たとえば、受付部１７で受け付けた出力指示が、プリンタへの印刷指示の場合は、印刷部数や用紙サイズの指定を受け付ける。また、受付部１７で受け付けた出力指示が、ファクシミリ送信指示やメール送信指示の場合は、宛先を受け付ける。また、受付部１７で受け付けた出力指示がファイルのアップロード指示である場合は、アップロード先のサーバのアドレスを受け付ける。
【００３０】
さらに、受付部１７は、入力部１１にデータを入力させる指示を受け付ける。受付部１７は、入力指示とともに、入力元毎に入力に必要な情報も一緒に受け付ける。たとえば、受付部１７で受け付けた入力指示がスキャナからの原稿読み取り指示の場合、読み取り範囲や解像度を受け付ける。また、受付部１７で受け付けた入力指示がメール受信指示の場合は、メールサーバのアドレスを受け付ける。また、受付部１７で受け付けた入力指示がメディアからの読込指示の場合は、読み取るべきファイル名などを受け付ける。
【００３１】
出力部１９は、受付部１７で受け付けた出力指示に従って、記憶部１３に記憶されたデータをユーザが利用可能な形態で出力する。出力部１９は、たとえば、画像データを印刷するプリンタ、各種メディアにデータを書き込む書込装置、インターネットなどの通信網を介してファイルをアップロードしたり、メールを送信したりする送信装置、ファクシミリ原稿を送信するファクシミリ送信装置などである。
【００３２】
課金部２１は、入力部１１でのデータの入力を検知し、入力料金を課金するとともに、出力部１９へのデータの出力を検知し、出力料金を課金する。
【００３３】
料金テーブル２３は、課金部２１で入力料金および出力料金を課金するときに基準となる入力料金の単価および出力料金の単価をそれぞれ記憶する。図２に料金テーブル２３の一例を示す。図２の料金テーブル２３では、入力単価２７はＡ円／枚、出力単価２９はＢ円／枚に設定されている。たとえば、入力単価２７を無料に設定することもできる。課金部２１は、料金テーブル２３に予め設定された入力単価２７および出力単価２９に基づいて、課金を行う。図２の例では、入力単価２７および出力単価２９は、原稿の枚数を単位として設定しているが、これに限定されるものではない。たとえば、データ処理装置１０がファクシミリ装置である場合は、出力単価２９は、通信時間を単位として設定してもよい。
【００３４】
図１に戻り、精算部２５は、貨幣投入部（不図示）やプリペイドカード挿入部（不図示）を有し、課金部２１で課金された入力料金および出力料金を投入料金から精算する。さらに、精算部２５は、貨幣やプリペイドカード返却ボタン（不図示）を有し、返却ボタンの操作を受け付け、残金の貨幣や集金後のプリペイドカードを排出する。精算部２５は、受け付けた返却ボタンの操作指示によって、一連の操作の終了を検知し、課金部２１に通知する。
【００３５】
図３は、本実施の形態のデータ処理装置１０の動作を示すフローチャートである。以下、図１乃至図３を参照して、データ処理装置１０の動作を説明する。ここで、データ処理装置１０は、複写装置であるとする。
【００３６】
まず、受付部１７が入力指示を受け付けることにより、本処理が開始され、オリジナル原稿がスキャナなどの入力部１１により読み込まれ、画像データが入力される（Ｓ１１）。つづいて、入力された画像データは記憶部１３に記憶されるとともに、表示部１５に表示される（Ｓ１３）。
【００３７】
つづいて、課金部２１は、画像データの入力を検知する（Ｓ１５）。つづいて、課金部２１は、入力料金を課金する（Ｓ１７）。課金部２１は、料金テーブル２３の入力単価２７、Ａ円／枚に基づいて課金する。
【００３８】
つづいて、受付部１７が、出力指示を受け付けた場合（Ｓ１９の出力）、出力部１９は記憶部１３に記憶されている画像データを出力する（Ｓ２１）。また、受付部１７が、再入力指示を受け付けた場合（Ｓ１９の再入力）、ステップＳ１１に戻る。また、受付部１７が終了指示を受け付けた場合（Ｓ１９の終了）、後述するステップＳ２９に進む。
【００３９】
つづいて、課金部２１は、出力部１９からの出力を検知する（Ｓ２３）。ここで、たとえば、複数枚の印刷がなされた場合、課金部２１は、出力部１９から出力された枚数をカウントすることができる。つづいて、課金部２１は、出力料金を課金する（Ｓ２５）。課金部２１は、料金テーブル２３の出力単価２９、Ｂ円／枚に基づいて課金する。ここで、出力部１９から複数枚の出力を課金部２１がステップＳ２３で検知した場合、課金部２１は、出力枚数に出力料金の単価を乗じて合計を算出することができる。
【００４０】
つづいて、受付部１７が、操作終了指示を受け付けたとき（Ｓ２７のＹＥＳ）、精算部２５により課金部２１で課金された入力料金および出力料金を精算し、本処理を終了する。一方、操作終了指示を受け付けなかった場合（Ｓ２７のＮＯ）、ステップＳ１１に戻る。
【００４１】
このように構成されたデータ処理装置１０において、オリジナル原稿のコピーを取る場合について説明する。このとき、オリジナル原稿は全部で３枚あり、１枚目の原稿を１回読み取りに失敗し、２回読み取った後、２部ずつコピーを取ったものとする。また、読み取りの単価はＡ円／枚、印刷の単価はＢ円／枚とする。
【００４２】
はじめに、操作開始指示ボタンの操作が受け付けられ、入力部１１により１枚目の原稿が読み込まれ、画像データが入力される（Ｓ１１）。つづいて、入力された画像データは記憶部１３に記憶されるとともに、表示部１５に表示される（Ｓ１３）。
【００４３】
つづいて、課金部２１は、入力部１１で入力された画像データの入力量を１枚と計測する（Ｓ１５）。つづいて、課金部２１は、料金テーブル２３の入力単価２７から入力料金をＡ円／枚×１枚から算出し、入力料金としてＡ円を課金する（Ｓ１７）。
【００４４】
ここで、ユーザは表示部１５に表示された画像データを確認し、読み取りの失敗に気が付き、この原稿を再入力する操作ボタンを操作すると、受付部１７は、再入力指示を受け付け、ステップＳ１１に戻る。
【００４５】
再度、入力部１１により原稿が読み込まれ、画像データが入力される（Ｓ１１）。つづいて、入力された画像データは、記憶部１３に記憶されるとともに、表示部１５に表示される（Ｓ１３）。
【００４６】
つづいて、課金部２１は、入力部１１で入力された画像データの入力量を合計２枚と計測する（Ｓ１５）。つづいて、課金部２１は、入力単価２７から入力料金をＡ円／枚×２枚から算出し、入力料金としてＡ×２円を課金する（Ｓ１７）。
【００４７】
ユーザは表示部１５に表示された画像データを確認し、今度は読み取った原稿を印刷する操作ボタンを操作する。受付部１７は、印刷指示を受け付け、出力部１９は記憶部１３に記憶されている画像データを２部印刷する（Ｓ２１）。つづいて、課金部２１は、出力部１９で出力された出力量を２枚と計測する（Ｓ２３）。つづいて、課金部２１は、料金テーブル２３の出力単価２９から出力料金をＢ円／枚×２枚から算出し、出力料金としてＢ×２円を課金する（Ｓ２５）。
【００４８】
つづいて、受付部１７は終了指示を受け付けないので（Ｓ２７のＮＯ）、ステップＳ１１に戻る。残りの２枚の原稿も同様にそれぞれ読み取られ、ステップＳ１７で、課金部２１は、入力部１１で入力された画像データの入力量が合計４枚と計測する（Ｓ１５）。つづいて、課金部２１は、入力単価２７から入力料金をＡ円／枚×４枚から算出し、入力料金としてＡ×４円を課金する（Ｓ１７）。
【００４９】
さらに、ステップＳ２３で、課金部２１は、出力部１９で出力された出力量を６枚と計測する（Ｓ２３）。さらに課金部２１は、出力単価２９から出力料金をＢ円／枚×６枚から算出し、出力料金としてＢ×６円を課金する（Ｓ２５）。
【００５０】
つづいて精算部２５は、受付部１７が終了指示を受け付けると（Ｓ２７のＹＥＳ）、精算部２５は、ステップＳ１７およびステップＳ２５でそれぞれ課金された入力料金および出力料金に基づいて、料金を精算する（Ｓ２９）。すなわち、精算部２５は、利用料金として（Ａ×４＋Ｂ×６）円を徴収する。
【００５１】
以上説明したように、本実施の形態によれば、データを出力前にモニタで確認し、出力指示を受け付けて出力する構成としたので、読み取りに失敗した原稿は出力せずに破棄できるとともに、データの入力に対する課金と出力に対する課金とを別々に行うことができるので、使用者に余分な料金を請求することがない。また、装置の目的により、様々な課金方法が選択可能となり、利便性が増す。
（第二の実施の形態）
図４は、本発明の実施の形態のデータ処理装置の要部構成である課金部の機能ブロック図である。図４の課金部３０は、上記実施の形態の課金部２１とは、入力計測部３１と、入力量記憶部３３と、出力計測部３５と、出力量記憶部３７と、料金算出部３９と、を含む点で相違している。
【００５２】
入力計測部３１は、入力部１１で入力されたデータの入力量を計測する。入力量記憶部３３は、計測された入力量を記憶する。出力計測部３５は、出力部１９から出力されたデータの出力量を計測する。出力量記憶部３７は、計測された出力量を記憶する。
【００５３】
料金算出部３９は、入力量記憶部３３に記憶された入力量に料金テーブル２３の入力単価２７を乗じて入力料金を算出し、出力量記憶部３７に記憶された出力量に料金テーブル２３の出力単価２９を乗じて出力料金を算出する。
【００５４】
図５は、本実施の形態の課金部３０を有するデータ処理装置１０の動作を示すフローチャートである。上記実施の形態のデータ処理装置１０の図３のフローチャートに示されるステップＳ１５、ステップＳ１７、ステップＳ２３、およびステップＳ２５に替えて、本実施の形態のデータ処理装置１０は、図５のフローチャートに示すように、ステップＳ３１、ステップＳ３３、ステップＳ３５、およびステップＳ３７を有する。以下、図４および図５を用いて説明する。
【００５５】
ステップＳ１３で表示部１５にデータが表示された後、入力計測部３１は、入力されたデータの入力量を計測する（Ｓ３１）。入力計測部３１で計測された入力量は入力量記憶部３３に記憶される。
【００５６】
入力計測部３１は、たとえば、スキャナで原稿を読み込んだ場合は、原稿の読み取り枚数をカウントする。また、入力計測部３１は、ファクシミリ装置から受信した原稿の枚数をカウントする、または、読み取り装置から各種メディアのデータを読み込んだり、受信装置からデータをダウンロードしたり、メールを受信した場合、データ容量やファイル数、メール件数などを計測する。
【００５７】
つづいて、料金算出部３９は、料金テーブル２３の入力単価２７に基づいて、入力料金を課金する（Ｓ３３）。また、ステップＳ２１で出力部１９によってデータが出力されると、出力計測部３５は、出力されたデータの出力量を計測する（Ｓ３５）。出力計測部３５で計測された出力量は出力量記憶部３７に記憶される。
【００５８】
つづいて、受付部１７が、出力指示を受け付けた場合（Ｓ１９の出力）、出力部１９は記憶部１３に記憶されている画像データを出力する（Ｓ２１）。一方、受付部１７で、再入力指示を受け付けた場合（Ｓ１９の再入力）、ステップＳ１１に戻る。また、受付部１７が終了指示を受け付けた場合（Ｓ１９の終了）、後述するステップＳ２９に進む。つづいて、課金部２１は、出力部１９で出力された出力量を計測する（Ｓ３５）。たとえば、プリンタで印刷した原稿の枚数をカウントする。あるいは、ファクシミリ装置で送信した原稿の枚数をカウントする。または、書込装置への各種メディアにデータを書き込んだり、送信装置にデータをアップロードしたり、メール送信した場合、出力したデータ容量やファイル数、メール件数などを計測する。
【００５９】
つづいて、料金算出部３９は、料金テーブル２３の出力単価２９に基づいて、出力料金を課金する（Ｓ３７）。このように、料金算出部３９は、データの入力量と出力量に対して個別に課金することができる。また、データの入力量および出力量は、それぞれ入力元や出力先に応じて個別に計測することができる。
以上説明したように、本実施の形態のデータ処理装置１０によれば、データの入力量や出力量に応じて、課金することができるので、適切な課金を行うことができる。従来のデータ処理装置にあっては、入力と出力は一組で課金されていたので、複数部数コピーをとるような場合、印刷枚数分の入力料金も余分に課金されてしまうことになる。本実施の形態のデータ処理装置１０では、入力料金は１部分のみであり、出力料金のみ印刷枚数分課金されることになり、余分な課金が発生しないという利点がある。
（第三の実施の形態）
図６は、本実施の形態のデータ処理装置の機能ブロック図である。図６のデータ処理装置４０は、図１のデータ処理装置１０とは、スキャナ部４１、ＦＡＸ受信部４２、メール受信部４３、ダウンロード部４４（図中、「ＤＬ部」と示す。）、メディア読込部４５、選択部４９、印刷部５１、ＦＡＸ送信部５２、メール送信部５３、アップロード部５４（図中、「ＵＬ部」と示す。）、およびメディア書込部５５を備え、さらに課金部２１および料金テーブル２３に替えて課金部３０および料金テーブル５９を備えた点で相違する。本実施の形態のデータ処理装置４０の課金部３０は、図４の課金部３０と同じである。
【００６０】
スキャナ部４１は、コピーやファクシミリ送信の原稿を読み取り、画像データを入力部１１に入力する。ＦＡＸ受信部４２は、ファクシミリを受信し、受信したデータを入力部１１に入力する。メール受信部４３は、メールを受信し、受信したメールを入力部１１に入力する。ダウンロード部４４は、通信網を介してファイルをダウンロードし、入力部１１に入力する。メディア読込部４５は、各種メディアからデータを読み込み、入力部１１に入力する。
【００６１】
印刷部５１は、出力部１９から受け取ったデータをモノクロまたはカラーで印刷する。ＦＡＸ送信部５２は、出力部１９から受け取ったデータをファクシミリ送信する。メール送信部５３は、出力部１９から受け取ったメールを送信する。アップロード部５４は、出力部１９から受け取ったファイルを所定のサーバ上にアップロードする。メディア書込部５５は、出力部１９から受け取ったデータを各種メディアに書き込む。
【００６２】
選択部４９は、スキャナ部４１、ＦＡＸ受信部４２、メール受信部４３、ダウンロード部４４、およびメディア読込部４５のいずれからのデータを入力部１１に入力するかを選択する指示を受け付ける。さらに選択部４９は、印刷部５１、ＦＡＸ送信部５２、メール送信部５３、アップロード部５４、およびメディア書込部５５のいずれに出力部１９から受け取ったデータを出力するかを選択する指示を受け付ける。
【００６３】
選択部４９で選択された入力元および出力先に応じて、受付部１７は、それぞれ必要な情報の入力を受け付ける。たとえば、選択部４９で、出力先にＦＡＸ送信部５２の選択指示を受け付けた場合、受付部１７は、ファクシミリの送信先電話番号を受け付ける。
【００６４】
図７は、データ処理装置１０の操作画面の一例を示す図である。操作画面６０は、入力部１１で入力したデータを表示する入力データ確認画面６１を有する。この入力データ確認画面６１で、ユーザは入力されたデータを確認することができる。
【００６５】
さらに操作画面６０は、入力部１１に入力するデータの入力元を選択する複数の操作ボタンを有する。たとえば、操作ボタンは、スキャンボタン７１、ＦＡＸ受信ボタン７２、メール受信ボタン７３、ダウンロードボタン７４、およびメディア読込ボタン７５である。これらの操作ボタンが操作されたとき、各指示を選択部４９が受け付ける。
【００６６】
操作画面６０は、出力部１９から出力されるデータの出力先を選択する複数の操作ボタンを有する。たとえば、操作ボタンは、コピーボタン８１、ＦＡＸ送信ボタン８２、メール送信ボタン８３、アップロードボタン８４、メディア書込ボタン８５である。これらの操作ボタンが操作されたとき、各指示を選択部４９が受け付ける。
【００６７】
図８は、料金テーブル５９の一例を示す図である。料金テーブル５９は、入出力種別９１毎に単価９３を記憶する。たとえば、入力部１１にスキャナからデータが入力された場合の単価９３は、Ａ１円である。あるいは、出力部１９からデータが印刷部５１に出力された場合の単価９３は、Ｂ１である。
【００６８】
以上のように構成されたデータ処理装置４０の動作について、第二の実施の形態と同じ図５のフローチャート用いて説明する。以下の説明において、図４、図６乃至図８も用いる。
【００６９】
まず、選択部４９が入力するデータの入力元の選択指示を受け付けることにより、本処理が開始され、入力部１１によりデータが入力される（Ｓ１１）。ここで、操作画面６０のスキャンボタン７１、ＦＡＸ受信ボタン７２、メール受信ボタン７３、ダウンロードボタン７４、およびメディア読込ボタン７５のいずれかが操作される。つづいて、入力されたデータは記憶部１３に記憶されるとともに、表示部１５に表示される（Ｓ１３）。
【００７０】
つづいて、課金部３０の入力計測部３１は、入力されたデータの入力量を計測する（Ｓ３１）。入力計測部３１で計測された入力量は入力量記憶部３３に記憶される。
【００７１】
つづてい、課金部３０の料金算出部３９は、料金テーブル５９の入出力種別９１の中から選択部４９で選択された入力元に該当する単価９３を取得し、単価９３に基づいて、入力料金を課金する（Ｓ３３）。
【００７２】
つづいて、選択部４９が、データ出力する出力先の選択指示を受け付けた場合（Ｓ１９の出力）、出力部１９は、記憶部１３に記憶されているデータを選択指示された出力先に出力する（Ｓ２１）。また、受付部１７が、データの再入力の指示を受け付けた場合（Ｓ１９の再入力）、ステップＳ１１に戻る。また、受付部１７が終了指示を受け付けた場合（Ｓ１９の終了）、後述するステップＳ２９に進む。
【００７３】
つづいて、課金部３０の出力計測部３５は、出力されたデータの出力量を計測する（Ｓ３５）。課金部３０の出力計測部３５で計測された出力量は出力量記憶部３７に記憶される。
【００７４】
つづいて、課金部３０の料金算出部３９は、料金テーブル５９の入出力種別９１の中から選択部４９で選択された出力先に該当する単価９３を取得し、単価９３に基づいて、出力料金を課金する（Ｓ３７）。
【００７５】
つづいて、受付部１７が、操作終了指示を受け付けたとき（Ｓ２７のＹＥＳ）、精算部２５により課金部２１で課金された入力料金および出力料金を精算し、本処理を終了する。一方、操作終了指示を受け付けなかった場合（Ｓ２７のＮＯ）、ステップＳ１１に戻る。
【００７６】
以上説明したように、本実施の形態によれば、データの複数の入力元および複数の出力先の中から選択してデータを入出力でき、データの入力元および出力先毎に個別に課金でき、様々な課金方法が選択可能な使い勝手のよいデータ処理装置を提供することができる。
【００７７】
以上に本発明の好適な実施の形態を説明した。しかし、本発明は上述の実施の形態に限定されず、当業者が本発明の範囲内で上述の実施の形態を変形可能なことはもちろんである。
【００７８】
たとえば、上記実施の形態では、入力部１１で入力されるデータは、画像データ、テキストデータ、文書ファイルデータ、ＨＴＭＬファイルデータなどの場合について説明したが、入力データは、音声データ、映像データ、プログラムデータなどを含んでもよい。また、入力部１１は、ディジタルカメラ、ディジタルビデオカメラ、および集音マイクを含むことができる。
【００７９】
また、上記実施の形態では、入力されたデータをユーザに報知する報知部として、データを画面に表示する表示部１５を用いているが、入力されたデータを再生する再生プレーヤと音声出力するスピーカを含むことができる。
【００８０】
上記実施の形態では、データ処理装置１０として複写装置およびファクシミリ装置について説明したが、これに限定されるものではない。たとえば、データ処理装置１０は、ＭＦＰ（Multi Functional Peripheral）、ネットワークファクシミリ装置、パーソナルコンピュータ、ワークステーション、およびメディアデータ印刷端末装置などを含む。
【００８１】
あるいは、データ処理装置は、入力した画像データ、音声データ、または映像データを視聴してから、ＣＤ−ＲＯＭやＤＶＤ−ＲＯＭを作成するような装置であってもよい。また、データ処理装置は、入力したプログラムデータを試しに実行してみてから、メディアに記録できるような装置であってもよい。
【００８２】
あるいは、データ処理装置は、３次元測定データを入力する３次元スキャナと、入力された複数の層データを重ねて３次元モデルデータを作成するモデラと、作成されたモデルを出力する３次元プロッタと、を備えてもよい。ここで、３次元スキャナは、たとえば、ディジタルカメラを２台設けて構成することができる。
【００８３】
また、上記実施の形態では、図１のデータ処理装置１０の精算部２５による精算を最後に行う構成としたが、これに限定されるものではない。たとえば、図３のステップＳ１７における入力料金およびステップＳ２５における出力料金の課金処理毎に精算してもよい。この場合、はじめに精算部２５に貨幣またはプリペイドカードを受け付け、ステップＳ１１の画像データの入力およびステップＳ２１の画像データ出力の前に、残高を確認し、残高が足りていれば各ステップの処理を行うようにしてもよい。
【００８４】
また、上記実施の形態では、図１のデータ処理装置１０の課金部２１は、図３のステップＳ１５で入力を検知するたびに入力料金を課金したが、実際に出力されたデータの入力に対してのみ課金を行うようにしてもよい。この場合、ステップＳ１９で受付部１７が再入力指示を受け付けたときに、ステップＳ１１に戻る前に、課金部２１がステップＳ１７で課金された入力料金を減算するようにすればよい。
【００８５】
図６の上記実施の形態のデータ処理装置において、選択部４９で選択されるデータの入力元および出力先はそれぞれ一つずつであったが、複数であってもよい。この場合、課金部３０の入力計測部３１は、それぞれの入力元からのデータの入力量を計測し、課金部３０の出力計測部３５は、それぞれの出力先へのデータの出力量を計測する。さらに、課金部３０の料金算出部３９は、料金テーブル５９を参照し、各入力元および出力先の単価９３と対応する入力量および出力量に基づいて、入力料金および出力料金を算出する。
【００８６】
このように構成されたデータ処理装置によれば、入力されたデータを異なる複数の出力先に出力する場合、入力料金は一つの入力データについてのみ課金されるので、複数の出力先毎に余分に入力料金が課金されることがない。
【００８７】
また、図６の上記実施の形態のデータ処理装置４０において、複数の入力元および複数の出力先の中から選択してデータの入出力を行う構成としたが、これに限定されず、少なくとも一つの入力元および少なくとも一つの出力先に限定してデータの入出力を行う構成とすることもできる。たとえば、メディア読込部４５と印刷部５１を有し、ユーザが持ち込んだメディアからデータを読み込み、印刷部５１に出力するような装置であってもよい。この場合は、課金部３０の入力計測部３１は、入力されたデータの容量を計測し、料金算出部３９は、入力されたデータ容量に基づいて、入力料金を課金する。さらに、課金部３０の出力計測部３５は、印刷部５１で印刷された印刷枚数を計測し、料金算出部３９は、印刷枚数に基づいて、出力料金を課金する。
【００８８】
また、図８の料金テーブル５９では、入出力種別９１毎に単価９３を設定しているが、これに限定されない。たとえば、データの出力先が印刷部５１の場合、用紙サイズ毎に単価９３をさらに設定してもよい。
【産業上の利用可能性】
【００８９】
本発明にかかる通信装置は、余分な課金を発生させず、データの入力および出力に対して個別に課金でき、様々な課金方法が選択可能であり、使い勝手が向上するという効果を有し、データの入出力に対して課金するデータ処理装置における課金技術等として有用である。
【図面の簡単な説明】
【００９０】
【図１】本実施の形態のデータ処理装置の機能ブロック図である。
【図２】図１のデータ処理装置の料金テーブルの一例を示す図である。
【図３】図１のデータ処理装置の動作を示すフローチャートである。
【図４】本発明に係るデータ処理装置の他の実施の形態の課金部の機能ブロック図である。
【図５】図４の課金部を有するデータ処理装置の動作を示すフローチャートである。
【図６】本実施の形態のデータ処理装置の機能ブロック図である。
【図７】図６のデータ処理装置の操作画面の一例を示す図である。
【図８】図６のデータ処理装置の料金テーブルの一例を示す図である。
【符号の説明】
【００９１】
１０  データ処理装置
１１  入力部
１３  記憶部
１５  表示部
１７  受付部
１９  出力部
２１  課金部
２３  料金テーブル
２５  精算部
２７  入力単価
２９  出力単価
３０  課金部
３１  入力計測部
３３  入力量記憶部
３５  出力計測部
３７  出力量記憶部
３９  料金算出部
４０  データ処理装置
４１  スキャナ部
４２  ＦＡＸ受信部
４３  メール受信部
４４  ダウンロード部
４５  メディア読込部
４９  選択部
５１  印刷部
５２  ＦＡＸ送信部
５３  メール送信部
５４  アップロード部
５５  メディア書込部
５９  料金テーブル
６０  操作画面
６１  入力データ確認画面
７１  スキャンボタン
７２  ＦＡＸ受信ボタン
７３  メール受信ボタン
７４  ダウンロードボタン
７５  メディア読込ボタン
８１  コピーボタン
８２  ＦＡＸ送信ボタン
８３  メール送信ボタン
８４  アップロードボタン
８５  メディア書込ボタン
９１  入出力種別
９３  単価
【図１】
2005333281.tif 000003
【図２】
2005333281.tif 000004
【図３】
2005333281.tif 000005
【図４】
2005333281.tif 000006
【図５】
2005333281.tif 000007
【図６】
2005333281.tif 000008
【図７】
2005333281.tif 000009
【図８】
2005333281.tif 000010